(57)【要約】  天然繊維を用いて構成され、より良い味の抽出液を手軽に抽出できるドリップバッグを提供する。ドリップバッグ１は、天然繊維を用いて構成され、開口１０ａを有し、内部に抽出材料７０を充填可能な袋体１０と、開口１０ａの少なくとも一部の縁部分に重ねて袋体１０に固定され、熱により封止可能な材料を用いて構成されるヘッダ部２０と、袋体１０の対向する一方の面及び他方の面の外表面それぞれに設けられるクリップ部３０とを備える。
2019049642.tif 000002
【特許請求の範囲】
【請求項１】
天然繊維を用いて構成され、開口を有し、内部に抽出材料を充填可能な袋体と、
前記開口の少なくとも一部の縁部分に重ねて前記袋体に固定され、熱により封止可能な材料を用いて構成されるヘッダ部と、
前記袋体の対向する一方の面及び他方の面の外表面それぞれに設けられるクリップ部と
を備えるドリップバッグ。
【請求項２】
前記天然繊維が、コットンであり、
前記熱により封止可能な材料が、不織布である請求項１に記載のドリップバッグ。
【請求項３】
前記袋体の前記開口を除く縁部の少なくとも一部に、縫い合せ部を有する請求項１又は２に記載のドリップバッグ。
【請求項４】
前記ヘッダ部が、前記開口側の反対側の端部から前記開口側へ所定距離だけ離れた位置に切断部を有し、前記反対側の端部若しくは前記反対側の端部近傍において封止可能な請求項１〜３のいずれか１項に記載のドリップバッグ。
【請求項５】
前記袋体が、略直円錐形状である部分を有する請求項１〜４のいずれか１項に記載のドリップバッグ。
【請求項６】
前記袋体が、略斜円錐形状である部分を有する請求項１〜４のいずれか１項に記載のドリップバッグ。
【請求項７】
前記コットンが、６０ｇ／ｍ２以上１５０ｇ／ｍ２以下の目付を有する請求項２に記載のドリップバッグ。
【請求項８】
天然繊維を用いて構成され、開口を有し、内部に抽出材料が充填されている袋体と、
前記開口の少なくとも一部の縁部分に重ねて前記袋体に固定され、熱により封止可能な材料を用いて構成され、前記開口側の反対側の端部若しくは前記反対側の端部近傍に封止部を有するヘッダ部と、
前記袋体の対向する一方の面及び他方の面の外表面それぞれに設けられるクリップ部と
を備える抽出材料入りドリップバッグ。
【発明の詳細な説明】
【技術分野】
【０００１】
本発明は、ドリップバッグに関する。特に、本発明は、天然繊維を用いたドリップバッグに関する。
【背景技術】
【０００２】
従来、通水性濾過性シートから形成され、上端部に開口部を有する袋本体と、袋本体の対向する２面の外表面に設けられた掛止部材とを有するドリップバッグであって、掛止部材が、袋本体の開口部に沿って袋本体に貼着されている上部貼着部と、上部貼着部から袋本体の底部側に延設され、少なくともその底部側の一部が袋本体に貼着されている中央貼着部と、中央貼着部の左右両側に形成されたアーム部であって、該アーム部の下端部と中央貼着部の下端部とが連続し、該アーム部の上端部は袋本体に貼着されていないことにより、袋本体から引き起こし可能に形成されているアーム部と、中央貼着部の下端部とアーム部の外側を囲むように形成され、アーム部の上端部と折線を介さずに連続し、袋本体に貼着されていない掛止部とを有し、上部貼着部の幅が掛止部の幅以下であり、上部貼着部の両端部から袋本体の両側縁部に沿って下方に延設された補強片を持たないドリップバッグが知られている（例えば、特許文献１参照。）。特許文献１に記載のドリップバッグによれば、袋本体の開口部が大きく開き、その開口形状が安定するドリップバッグを低コストで提供することができる。
【先行技術文献】
【特許文献】
【０００３】
【特許文献１】特開２０１６−１０５８２２号公報
【発明の概要】
【発明が解決しようとする課題】
【０００４】
しかし、特許文献１に記載されているドリップバッグにおいては、抽出液が漏出する袋体を不織布から構成していることから、コーヒー等の抽出材料を用いて味がより良く、まろやかな抽出液を抽出することは困難である。【０００５】
したがって、本発明の目的は、天然繊維を用いて構成され、より良い味の抽出液を手軽に抽出できるドリップバッグを提供することにある。
【課題を解決するための手段】
【０００６】
本発明は、上記目的を達成するため、天然繊維を用いて構成され、開口を有し、内部に抽出材料を充填可能な袋体と、開口の少なくとも一部の縁部分に重ねて袋体に固定され、熱により封止可能な材料を用いて構成されるヘッダ部と、袋体の対向する一方の面及び他方の面の外表面それぞれに設けられるクリップ部とを備えるドリップバッグが提供される。【０００７】
また、本発明は上記目的を達成するため、天然繊維を用いて構成され、開口を有し、内部に抽出材料が充填されている袋体と、開口の少なくとも一部の縁部分に重ねて袋体に固定され、熱により封止可能な材料を用いて構成され、開口側の反対側の端部若しくは反対側の端部近傍に封止部を有するヘッダ部と、袋体の対向する一方の面及び他方の面の外表面それぞれに設けられるクリップ部とを備える抽出材料入りドリップバッグが提供される。
【発明の効果】
【０００８】
本発明に係るドリップバッグによれば、天然繊維を用いて構成され、より良い味の抽出液を手軽に抽出できるドリップバッグを提供できる。
【図面の簡単な説明】
【０００９】
【図１】本実施形態に係るドリップバッグの構成の概要図である。
【図２】本実施形態に係るドリップバッグの展開図である。
【図３】本実施形態に係るドリップバッグの使用方法の図である。
【図４】本実施形態に係るドリップバッグの変形例の概要図である。
【発明を実施するための形態】
【００１０】
［実施の形態］
＜ドリップバッグ１の概要＞
コーヒー等の飲料をコーヒー豆等の抽出材料を用いて抽出する方法として、コーヒー豆の粉末や、紅茶、緑茶、烏龍茶等の茶葉等の抽出材料を袋状のバッグに充填し、バッグを紙製等の固定具を用いてカップ等に装着・固定し、バッグの開口に熱湯を注ぐことで、コーヒー成分や茶成分等を抽出するドリップ方式による抽出方法が知られている。バッグを構成する素材は、通常、紙や不織布等からなるフィルターが用いられている。しかしながら、より味がよく、おいしい飲料を抽出する場合、バッグの素材はコットン等の天然素材を用いて構成することが好ましい。
【００１１】
ところが、コットン等の天然素材を用いてバッグを構成すると、抽出材料を当該バッグに充填後、当該バッグの開口を従来の方法では適切に封止できない。すなわち、コットン等の天然素材は、熱圧着や熱シール等により手軽に着実に封止できる不織布とは異なり、熱による封止が困難である（熱により封止をしたとしても、実用的な接着強度を得ることが困難である。）。また、コットン等の天然素材は縫製により封止できるものの、熱湯を注ぐ場合に開口を形成することを要する観点から、縫製では強固すぎる封止になり、バッグに開口を容易に形成することはできない。更に、開口を縫製により封止する場合、開口を容易に形成させる観点からは縫製された部分を容易にほどけるようにすることを要するので縫い目のピッチに応じた幅の広い隙間が生じる場合があり、保管時に、内容物である抽出材料がバッグ外にこぼれ出ることがある。
【００１２】
そこで本発明者は、種々検討した結果、抽出材料から抽出される抽出液が漏出する部分を天然素材で構成し、封止する部分（ドリップ方式による抽出時には開口が形成される部分）を熱により封止可能な素材を用いて構成することで、抽出材料入りドリップバッグを容易に製造できると共に、抽出時には湯を注ぐための開口を容易に形成することができ、かつ、天然素材を用いたドリップ方式による抽出が可能であるドリップバッグを構成できることを見出した。
【００１３】
すなわち、本実施形態に係るドリップバッグ１は、天然繊維を用いて構成され、開口１０ａを有し、内部に抽出材料７０を充填可能な袋体１０と、開口１０ａの少なくとも一部の縁部分に重ねて袋体１０に固定され、熱により封止可能な材料を用いて構成されるヘッダ部２０と、袋体１０の対向する一方の面及び他方の面の外表面それぞれに設けられるクリップ部３０とを備える。以下、図面を参照し、本実施形態に係るドリップバッグについて詳細に説明する。
【００１４】
［ドリップバッグ１の詳細］
図１は、本実施形態に係るドリップバッグの構成の概要の一例を示す。図１（ａ）は、本実施形態に係るドリップバッグ１の側面の概要の一例を示し、図１（ｂ）は、ドリップバッグ１のヘッダ部２０、並びに袋体１０とヘッダ部２０及びクリップ部３０との固定状態の概要の一例を示す。
【００１５】
上述の通り、ドリップバッグ１は、縁部の一部に開口１０ａを有し、開口１０ａを除く他の縁部が閉じられた袋体１０と、開口１０ａの少なくとも一部の縁部分に重ねて袋体１０に固定若しくは貼り付けられ、熱により封止可能な材料を用いて構成されるヘッダ部２０と、袋体１０の対向する一方の面及び他方の面の外表面それぞれに設けられ、使用時に容器に固定されるクリップ部３０とを備える。袋体１０にヘッダ部２０は固定若しくは貼り付けられているので、ドリップバッグ１を側面から観察した場合、開口１０ａは線状に観察されることになる。
【００１６】
（袋体１０）
袋体１０は、略直円錐形状である部分１００と、略円筒形状である部分１０２とを有して構成される。袋体１０において、略直円錐形状である部分１００と略円筒形状である部分１０２とは、部分１００の頂点の反対側において連続している。袋体１０の開口１０ａは、部分１０２の端部であって、部分１００側とは反対の端部に設けられる。そして、袋体１０は、開口１０ａを除く縁部の少なくとも一部に、縫製により閉じられた縫い合せ部１５を有する。
【００１７】
袋体１０は天然繊維を用いて構成される。天然繊維としては、コットンを用いることが好ましく、１００％のコットンであることがより好ましい。また、コットンとしては、お湯の注水時に開口１０ａが開口されている状態を維持し、かつ、飲用に適度な濃さの抽出液を漏出させる観点から、６０ｇ／ｍ２以上１５０ｇ／ｍ２以下の厚さ（目付）を有することが好ましく、６０ｇ／ｍ２以上１２０ｇ／ｍ２以下の厚さを有することがより好ましい。なお、縫い合せ部１５に用いる糸としては、天然繊維を用いて構成される糸であれば、どのような糸であってもよい。
【００１８】
（ヘッダ部２０）
ヘッダ部２０は、袋体１０の開口１０ａの縁部分に重ねて設けられる。より具体的に、ヘッダ部２０は略円筒形状を有し、図１（ａ）及び（ｂ）に示すように袋体１０の部分１０２の内側に重ねて設けられ、開口１０ａから外に延びた部分２００を有する。また、ヘッダ部２０は、開口１０ａ側の反対側の端部から開口１０ａ側へ所定距離だけ離れた位置に切断部４０を有する。切断部４０は、例えば、切り取り線やスリットである。ヘッダ部２０は、少なくとも開口１０ａとは反対側の端部、若しくは開口１０ａとは反対側の端部近傍が、熱圧着等により封止可能な材料を用いて構成される。なお、ヘッダ部２０を、袋体１０の部分１０２の外側に重ねて設けてもよい。
【００１９】
具体的にヘッダ部２０を構成する熱により封止可能な材料としては、不織布を用いることが好ましい。不織布としては、ドリップバッグ１に充填される抽出材料７０が外部に実質的に漏出しない程度の通気性、通水性を有する不織布を用いることができる。また、不織布を構成する材質としては、例えば、ポリプロピレン、ポリエチレン等が挙げられる。
【００２０】
（クリップ部３０）
クリップ部３０は、袋体１０の外表面に設けられる。すなわち、クリップ部３０は、袋体１０の対向する一方の面（表面１８）の外表面と、他方の面（裏面１９）の外表面とのそれぞれに設けられる。クリップ部３０は、支持体３００と、支持体３００に連続し、凹部３１５を有する引出部３１０とを有して構成される。支持体３００と引出部３１０との境界には折り目３２０が設けられる。また、支持体３００は、引出部３１０の凹部３１５に対応する部分に凸部３１７を有する。ドリップバッグ１の使用時には、引出部３１０が支持体３００から折り目３２０を支点に引き起こされ、凹部３１５が容器の縁に嵌められる。
【００２１】
クリップ部３０は、例えば、紙、若しくは防水処理が施された紙を用いて構成することができる。
【００２２】
なお、ドリップバッグ１の側面視にて部分１００は略直角三角形状に観察され、部分１０２及び部分２００は略長方形状に観察される。そして、一例として、ドリップバッグ１のサイズは、側面視にて、部分１０２の長辺が１２．５ｃｍであり、短辺が３ｃｍであり、部分１００の頂角が略９０°であり、ヘッダ部２０の短辺が１．５ｃｍである（ヘッダ部２０の長辺は部分１０２の長辺と略同一である。ただし、ヘッダ部２０の当該長さは、ドリップバッグ１の側面視にて外部に露出している部分の長さである。）。ただし、これらのサイズはあくまで例示である。
【００２３】
（袋体１０とヘッダ部２０及びクリップ部３０との固定状態）
本実施形態においては、袋体１０とヘッダ部２０とは、ドリップバッグ１の側面視において、部分１０２の縁部分（側面視にて短辺近傍）とヘッダ部２０の縁部分（側面視にて短辺近傍）とが重なっている領域が固定されると共に（固定部５０）、部分１０２と部分１００との境目付近（側面視にて部分１０２の長辺端部近傍）であって、ヘッダ部２０の端部（側面視にてヘッダ部２０の袋体１０と重なっている側の長辺近傍）に重なっている領域が固定される（固定部５０ａ）。更に、ドリップバッグ１の側面視において、ヘッダ部２０の縁部分（側面視にて短辺近傍）も固定される（固定部５０ｂ）。また、袋体１０とクリップ部３０とは、クリップ部３０の支持体３００の所定箇所と袋体１０とが固定部５２において固定される。
【００２４】
固定部５０、固定部５０ａ、固定部５０ｂ、及び固定部５２は、熱溶着、高周波溶着、超音波溶着等や接着剤を用いた方法等、様々な手法で形成できる。本実施形態においては、天然素材と不織布とを用いる場合、天然素材と不織布とが強固に接着される手法、例えば、超音波振動による溶着方法（超音波溶着）を用いることが最も好ましい。超音波溶着によれば、天然素材と不織布との接着、不織布同士の接着、及び天然素材と紙との接着を充分な強度を有して実現できる。また、超音波溶着によれば、ドリップバッグ１に接着剤等の異物が混入することを確実に防止できる。
【００２５】
また、袋体１０に抽出材料７０を充填した後、ヘッダ部２０の端部であって、開口１０ａ側の反対側の端部、若しくは開口１０ａの反対側の端部近傍は、熱圧着等により封止される（この封止された領域が、封止部６０となる。）。封止部６０の形成においても超音波溶着を用いてもよいが、製造の簡易化の観点からは熱圧着により形成することが好ましい。
【００２６】
（抽出材料７０）
抽出材料７０は、コーヒー豆の粉末や、紅茶、緑茶、烏龍茶等の茶葉等である。本実施形態において、抽出材料７０としてコーヒー豆の粉末を用いる場合、袋体１０に充填する抽出材料７０は１０ｇ〜２０ｇ程度であることが好ましい。
【００２７】
（ドリップバッグ１の製造方法）
図２は、本実施形態に係るドリップバッグの展開図の概要の一例を示す。
【００２８】
ドリップバッグ１は、天然繊維を用いて構成される袋体１０と不織布を用いて構成されるヘッダ部２０とが互いに接着され、袋体１０の外表面の所定位置にクリップ部３０が接着されることで製造される。例えば、図２にドリップバッグ１の展開図の例を示すように、袋体１０に対応する天然繊維を用いて形成される第１の布状体（直角三角形状の布状体の短い一対の辺それぞれに長方形状の布状体が延びているような形状）に、ヘッダ部２０に対応する不織布を用いて形成される第２の布状体（長方形状）を二つ重ねる。第２の布状体は、第１の布状体の長方形状の布状体部分に重ねる。この場合において、第２の布状体の一部が第１の布状体と重ならない領域を設けるようにする。そして、第１の布状体の直角三角形状の布状体部分の最も長い辺の垂線に沿って折りたたむ。
【００２９】
そして、袋体１０の一部の端部の領域１５ａ（直角三角形状部分の最長の辺の領域）は縫製により縫い付ける（これにより、縫い合せ部１５が形成される。）。なお、縫製のピッチは、例えば、抽出材料７０が零れ落ちることを防止する観点からは、０．５ｍｍ以上１０ｍｍ以下であることが好ましく、１ｍｍ以上７ｍｍ以下であることがより好ましい。
【００３０】
また、折りたたんだ状態で、第１の布状体と第２の布状体とが重なる領域であって、それぞれの端部近傍の所定の領域（固定部５０に対応する領域）、及び部分１００と部分１０２との境目付近の領域（固定部５０ａに対応する領域）と、第２の布状体同士が重なる領域であって、短辺の端部近傍の所定の領域（固定部５０ｂに対応する領域）とをそれぞれ超音波溶着により固定する。更に、袋体１０の対向する一方の面及び他方の面の外表面それぞれにクリップ部３０を配置し、クリップ部３０の支持体３００の所定箇所と袋体１０とを超音波溶着により固定する。更に、ヘッダ部２０の所定箇所に、切断部４０を形成する。これにより、ドリップバッグ１が製造される
【００３１】
そして、袋体１０に所定の抽出材料７０を所定量充填し、ヘッダ部２０の開口１０ａ側の反対側の端部、若しくは当該端部近傍を熱圧着することで封止部６０を形成し、抽出材料７０入りのドリップバッグ１が製造される。なお、切断部４０は、抽出材料７０を袋体１０に充填し、封止部６０を形成した後に形成してもよい。そして、抽出材料７０入りのドリップバッグ１は、例えば、アルミ蒸着フィルム等を有するラミネート包装袋等に封入される。
【００３２】
（ドリップバッグ１の使用方法）
図３は、本実施形態に係るドリップバッグの使用方法の一例を示す。
【００３３】
まず、図３（ａ）に示すように、ドリップバッグ１の切断部４０に沿って、ヘッダ部２０の一部を切り取る。そして、クリップ部３０の引出部３１０を支持体３００から引き起こし、容器５の縁に凹部３１５を差し入れることでドリップバッグ１を容器５に固定する。ここで、本実施形態において、袋体１０の一方の面の外表面に設けられるクリップ部３０と、他方の面の外表面に設けられるクリップ部３０とは、それぞれの引出部３１０の正面視若しくは側面視における引出方向が互いに反対になる向きに袋体１０に設けられる。よって、図３（ｂ）に示すように、一方の面のクリップ部３０の引出部３１０と、他方の面のクリップ部３０の引出部３１０とは互いに反対方向に引き起こされ、容器５に固定される。したがって、上面視にてドリップバッグ１は、部分１００の頂点付近を中心に略点対称の位置に引出部３１０を配置することができるので、ドリップバッグ１を容器５上に安定的に取り付けることができる。
【００３４】
そして、切断部４０に沿ってヘッダ部２０を切り取った後にできる開口４０ａ内に湯を注ぐことで、抽出材料７０からの抽出液が容器５に滴下する。ここで、袋体１０は略円錐形状の部分１００を有するので、部分１００の頂点付近から抽出液は容器５内に滴下する。
【００３５】
［ドリップバッグの変形例］
図４は、本実施形態に係るドリップバッグの変形例の概要を示す。変形例に係るドリップバッグ１ａは、ドリップバッグ１とは袋体の形状が異なる点を除き、ドリップバッグ１と略同様の構成及び機能を備える。したがって、相違点を除き、詳細な説明は省略する。
【００３６】
ドリップバッグ１ａは、袋体１１が略斜円錐形状である部分を有して構成される。すなわち、袋体１１は、略斜円錐形状である部分を含む部分１０４と、略円筒形状である部分１０６とを有して構成される。袋体１１において、略斜円錐形状である部分を含む部分１０４と略円筒形状である部分１０６とは、部分１０４の頂点の反対側において連続している。袋体１１の開口１１ａは、部分１０６の端部であって、部分１０４側とは反対の端部に設けられる。
【００３７】
そして、袋体１１は、開口１１ａを除く縁部の少なくとも一部に、縫製により閉じられた縫い合せ部１６を有する。例えば、側面視にて、部分１０６の端部（側面視にて部分１０６は略長方形状を有しており、この略長方形状における一つの短辺部分）と、部分１０４の端部とが縫製により閉じられる。袋体１１とヘッダ部２０とは、図４（ｂ）に示すようにドリップバッグ１と同様にして互いに、例えば、超音波溶着法を用いて固定部５０により接着される。すなわち、ドリップバッグ１ａにおいては、側面視にてヘッダ部２０の短辺部分と部分１０６の短辺部分の一部とが接着され、ヘッダ部２０の部分１０６側の長辺部分の端部領域と部分１０６とが接着され、かつ、ヘッダ部２０の短辺部分であって部分１０６と重なっていない短辺部分同士が接着される。
【００３８】
ドリップバッグ１ａにおいては、抽出材料７０が充填される袋体１１が略斜円錐形状である部分１０４を有する。したがって、部分１０４の頂点が、側面視にて右（若しくは左）の一方側に偏っている。更に、ドリップバッグ１ａにおいては、クリップ部３０は、引出部３１０の引出方向が、頂点が存在する側に向けて引き起こされる向きになるように袋体１１に接着される。つまり、ドリップバッグ１ａにおいては、ドリップバッグ１とは異なり、袋体１１の一方の面の外表面に設けられるクリップ部３０と、他方の面の外表面に設けられるクリップ部３０とが、それぞれの引出部３１０の正面視若しくは側面視における引出方向が同一になる向きに設けられる。
【００３９】
これにより、ドリップバッグ１ａにおいては、ドリップバッグ１ａを容器５に取り付けた場合、上面視にて、一方の引出部３１０が容器５に取り付けられる位置と他方の引出部３１０が容器５に取り付けられる位置とを結ぶ線分に、抽出材料７０の重心の位置を近づけることができるので、抽出材料７０の重さによりドリップバッグ１ａが傾くことを抑制できる。
【００４０】
（実施の形態の効果）
本実施形態に係るドリップバッグ１は、抽出材料７０が充填される袋体１０を天然素材であるコットンを用いて構成できるので、抽出材料７０としてコーヒー豆の粉末を用いる場合、本格的で滑らかな味のネルドリップコーヒーを手軽に飲むことができる。また、ドリップバッグ１は、天然素材を用いて構成される袋体１０と不織布を用いて構成されるヘッダ部２０とを分け、ヘッダ部２０を熱により封止可能な材料を用いて構成したので、袋体１０に抽出材料７０を充填させた後、ヘッダ部２０の所定の位置を熱封止できる（なお、ドリップバッグ全体を天然素材で構成した場合、熱封止は困難であり、実用上耐えうる封止を実現することは困難である。）。これにより、従来は困難であった天然素材を用いた１回使い切り用のドリップバッグ１を容易に製造できる。
【００４１】
また、本実施形態に係るドリップバッグ１は、天然素材を用いているにもかかわらず従来のドリップバッグと同様に酸素等を遮断するラミネート包装袋等に容易に封入でき、長期間の保存もできる。これにより、ドリップバッグ１を用いると、例えば、抽出材料７０がコーヒー粉末である場合等には、長期間、味、香り等を維持することができる。更に、本実施形態に係るドリップバッグ１は、１回使い切りのドリップバッグとして用いることができるので、従来のネルドリップ式の抽出のように、使用前のネルフィルターを水洗いした後に煮る工程や、使用後のネルフィルターを煮沸してネルフィルターに残存している抽出材料の脂肪分等を洗浄する工程、更には煮沸後に冷水を入れた容器等にネルフィルターを浸して冷暗所で保管する工程等が不要である。これにより、本実施形態に係るドリップバッグ１によれば、極めて手軽にネルドリップ式による味の良いコーヒー等を淹れることができる。
【００４２】
以上、本発明の実施の形態を説明したが、上記に記載した実施の形態は特許請求の範囲に係る発明を限定するものではない。また、実施の形態の中で説明した特徴の組合せのすべてが発明の課題を解決するための手段に必須であるとは限らない点に留意すべきである。
【符号の説明】
【００４３】
１、１ａ  ドリップバッグ
５  容器
１０、１１  袋体
１０ａ、１１ａ  開口
１５、１６  縫い合せ部
１５ａ  領域
１８  表面
１９  裏面
２０  ヘッダ部
３０  クリップ部
４０  切断部
４０ａ  開口
５０、５０ａ、５０ｂ、５２  固定部
６０  封止部
７０  抽出材料
１００、１０２、１０４、１０６  部分
２００  部分
３００  支持体
３１０  引出部
３１５  凹部
３１７  凸部
３２０  折り目
【図１】
2019049642.tif 000003
【図２】
2019049642.tif 000004
【図３】
2019049642.tif 000005
【図４】
2019049642.tif 000006
【国際調査報告】
2019049642.tif 000007
2019049642.tif 000008
2019049642.tif 000009